(57)【要約】【課題】本願発明は、通常の網戸としての機能と、入院している人が室内側から外部へ出ることができない機能、及び、メンテナンス等必要時に室内側から外部へ出ることができる機能を具えたアルミ格子枠（格子機能付網戸）を提供するものである。【解決手段】上記課題を解決するため、縦框と、縦框間に架設した上下框からなるサッシュ枠の開口部にアルミルーバー、及び、表面にステンレスネットを張設したアルミルーバーを取り付けたアルミ格子枠からなる。【選択図】図３
2005171513.tif 000002
【特許請求の範囲】
【請求項１】
縦框と、縦框間に架設した上下框からなるサッシュ枠の開口部に、アルミルーバーを取り付けたことを特徴とするアルミ格子枠。
【請求項２】
アルミルーバーの表面にステンレスネットを張設したことを特徴とする請求項１記載のアルミ格子枠。
【発明の詳細な説明】
【技術分野】
【０００１】
本願発明は、老人病院、精神病院等において、人の無断の出入りを制限するアルミ格子枠（格子機能付き網戸）に関するものである。
【背景技術】
【０００２】
老人ホーム或いは特別養護老人ホーム等の福祉施設、又は老人病院では、入所している老齢者が痴呆などで徘徊することがあり、この様な状態になると、通常使用されている網戸では、簡単に外すことにより外出ができるので管理上問題があった。
又、精神病院等の施設においては、入院患者が自由に外出できないような構造にする必要があった。
【０００３】
そこで、これらの施設の壁面に設けた開口部、特に窓部において、患者が簡単に室外へ出られないように、窓の外側に脱走防止を意図した鉄格子を取り付けて窓を全開できる状態にしたので、脱走防止を意図しつつ、窓本来の機能である充分な換気も行うことができた。
しかし、最近人権保護等の観点から窓の外側に鉄格子を付設すべきではない、という行政指導や、国庫補助金の対象施設の基準でも鉄格子を設けてはならない、という行政指導が行われるようになってきた。
【０００４】
このような行政指導により窓の外側に鉄格子を設置することができなくなったため、窓の外側に設置した鉄格子に代わり、開口部に取り付けた窓に強化ガラスが使用されるようになった。その際、患者の脱走を防ぐために、開口部を制限するストッパーをレール上に取り付け、引き戸が約１０〜１５ｃｍ程度しか開かないようにして患者の外出を制限する方式が採用されてきた。
【０００５】
しかし、強化ガラスを採用することにより、精神病院等の外観は一般病院と同等の見掛かりとなったが、引き戸が約１０〜１５ｃｍ程度しか開かないように制限したため換気可能な開口面積が減り、窓本来の機能である換気を効率良く行えなくなり、「臭いが籠もる」等のデメリットが生じてきた。  
これを解消する手段としては、空調機器による機械換気を導入することが考えられるが、近年、看護側としては、そのような機械換気に頼ることなく自然換気を重視する傾向が強まりつつあった。
【０００６】
そこで、引き戸の開口幅を大きくとりながら、室内側から外部へ自由に出ることを制限し、通気性の良好なサッシュ機構として、引き戸用レールを有するサッシュ枠と１組の引き戸からなり、網戸をサッシュ枠の引き戸用の室外側レールに載置し、網戸の室内側の引き戸を網戸にスライド自在に設け、スライド自在の引き戸を除く引き戸と網戸をサッシュ枠内に拡げた状態で各引き戸と網戸を外部から固定するロック機構を付設したものが知られている（特許文献１参照）。
【特許文献１】特開平１１−８１８２９号公報
【発明の開示】
【発明が解決しようとする課題】
【０００７】
しかし、特許文献１に示したサッシュ枠に組み込んだ網戸は、ガラス戸等の引き戸用の框に複数の縦桟および横桟を付設したもので、框に増設した縦桟および横桟の数、位置、および太さを調整し、框と各桟間に形成される開口部の形状および大きさを人が通れないようにすることで、該開口部に張った網を破っても、該開口部を通って出入りを行うことができない構造にしてあるので、通気性と視界等において問題があり更なる改良が必要であった。
本願発明は、通常の網戸としての機能と、入院している人が室内側から外部へ出ることのできない機能、及び、メンテナンス時において、スタッフは、必要時に室内側から外部へ出ることができる機能を具え、行政が鉄格子とは認めない視認性、視覚性を考慮したアルミ格子枠（格子機能付網戸）を提供するものである。
【課題を解決するための手段】
【０００８】
本願発明は上記課題を解決するため、縦框と、縦框間に架設した上下框からなるサッシュ枠と、天井の照明ルーバー等で使用されるアルミルーバーと、火に強く、強度的に最も優れているステンレスネットを採用したものである。なお、本願におけるアルミルーバーとは、格子状の薄板からなるアルミ状の桟をいうものとする。
【０００９】
具体的構成として、縦框と、縦框間に架設した上下框からなるサッシュ枠の開口部に、アルミルーバーを取り付けたアルミ格子枠を特徴とする。
また、アルミ格子枠のアルミルーバーの表面に、ステンレスネットを取り付けたアルミ格子枠を特徴とする。
更に、建物の開口部に固定した固定窓と、レール上をスライドするアルミ格子枠、及び可動窓と、固定窓、アルミ格子枠及び可動窓に、鍵付きクレセント及び／又はタイト材のロック機構を設けたサッシュ機構を特徴とする。
【発明の効果】
【００１０】
本願発明は、サッシュ枠の開口部にアルミルーバーを取り付けているので、６０ｋｇの静荷重を架けてもアルミルーバーは変形することがなく、又、２０ｋｇの重りを高さ１ｍから落下させると、アルミルーバーは変形はするが脱落しないことから、入院している人がアルミルーバーに向かって体当たり等で脱走を試みても、サッシュ枠からアルミルーバーが脱落することはないので室外へ出ることができない。
【００１１】
また、アルミ格子枠（格子機能付網戸）により充分に通風できるので、機械換気に頼ることなく、自然換気により室内の換気を行うことができる。
【発明を実施するための最良の形態】
【００１２】
図１は、精神病院、老人病院等の壁面に設けた開口部に、可動窓１、固定窓２及びアルミ格子枠（又は、格子機能付網戸）３を嵌め込み、可動窓１を両側に開いた状態を室外から見た正面図である。
図２は、精神病院、老人病院等の壁面に設けた開口部に、可動窓１、固定窓２及びアルミ格子枠（又は、格子機能付網戸）３を嵌め込み、可動窓１を中央に寄せて閉じた状態を室内から見た正面図である。
【００１３】
図３は、精神病院、老人病院等の壁面に設けた開口部に、可動窓１、固定窓２及びアルミ格子枠（又は、格子機能付網戸）３を嵌め込み、可動窓１を両側にスライドさせて、中央に配置したアルミ格子枠（又は、格子機能付網戸）３より通風できる状態にした平面図である。
図４は、精神病院、老人病院等の壁面に設けた開口部に、可動窓１、固定窓２及びアルミ格子枠（又は、格子機能付網戸）３を嵌め込み、可動窓１を中央部にスライドさせて、中央に配置したアルミ格子枠（又は、格子機能付網戸）３に重ねた状態にした平面図である。
【００１４】
壁面の開口部に、一対の平行な縦枠４１と、両縦枠４１の上端間に架設した上枠４２、両縦枠４１の下端間に架設した下枠４３による方形の開口枠４が取り付けられ、該下枠４３には、アルミ格子枠（又は、格子機能付網戸）３と可動窓１をスライドさせる２本の平行なレール（図示せず）が、固定窓２を挟んで設けられる。
また、両縦枠４１の上端間に架設した上枠４２にも下枠４３のレールに対応したレールが設けられ、上下に設けたレール間に、２枚のアルミ格子枠（又は格子機能付網戸）３と２枚の可動窓１がスライド自在に取り付けられる。
【００１５】
アルミ格子枠３は、左右の縦框、両縦框間に架設した上框・下框・中框の組み合わせによるフレーム３１が形成され、複数の框で作られる空間部へ、天井の照明ルーバー等で使用されるアルミルーバー３２が取り付けられている。該アルミルーバー３２のピッチは、その格子間に指が入らないよう１５ｍｍ×１５ｍｍにするのが好ましい。
また、アルミ格子枠（又は、格子機能付網戸）３には、虫・蚊等が室内に入らないようにする対策の一つとして、アルミ格子枠を構成するアルミルーバー３２の表面にステンレスネット３３が設けられる。
【００１６】
図１及び図３は可動窓１を開いた状態を示すもので、開口枠４に取り付けたアルミ格子枠（又は格子機能付網戸）３、可動窓１及び固定窓２について以下説明する。
建物の開口部には、その両側に２枚の固定窓２が取り付けられ、固定窓２の外側に設けた室外側レールに２枚のアルミ格子枠（又は格子機能付網戸）３を、固定窓２の内側に設けた室内側レールに２枚の可動窓１が取り付けられている。
【００１７】
固定窓２の外側のレールに取り付けたアルミ格子枠（又は格子機能付網戸）３は、固定窓２の縦框と重なる側の縦框にタイト材（図示せず）が設けられ、アルミ格子枠（又は格子機能付網戸）３を中央部に寄せた状態にして、固定窓２の縦框に設けた鍵付きクレセント５をアルミ格子枠のタイト材に係合させ、施錠することにより、アルミ格子枠３は中央部に寄せた状態で固定される。
【００１８】
一方、固定窓２の内側のレールに取り付けた可動窓１は、可動窓１を中央部に寄せた状態で固定窓２の縦框と重なる側の縦框に鍵付きクレセント（図示せず）を設け、固定窓２の縦框に設けたタイト材に係合した後施錠できる構造になっている。
【００１９】
図１及び図３に示す可動窓１は、その縦框に設けた鍵付きクレセントを固定窓２に設けたタイト材より解錠した後固定窓側にスライドさせ、固定窓２の内側に重ねた状態が示されている。
この状態にすることにより、中央部に寄せた２枚のアルミ格子枠（又は格子機能付網戸）３を通して室内の換気が行われる。
【００２０】
図２及び図４は可動窓１を中央部に寄せて開口部を閉じた状態が示されており、開口枠４のレールに取り付けたアルミ格子枠（又は格子機能付網戸）３と可動窓１、及び開口枠４に固定された固定窓２について以下説明する。
建物の開口部には、その両側に２枚の固定窓２が取り付けられ、固定窓２の外側に設けた室外側レールに２枚のアルミ格子枠（又は格子機能付網戸）３を、固定窓の内側に設けた室内側レールに２枚の可動窓１が取り付けられている。
【００２１】
固定窓２の外側のレールに取り付けたアルミ格子枠（又は格子機能付網戸）３は、固定窓２の縦框と重なる側の縦框にタイト材（図示せず）を設け、アルミ格子枠（又は格子機能付網戸）３を中央部に寄せた状態にして、固定窓２の縦框に設けた鍵付きクレセント（図示せず）をアルミ格子枠のタイト材に係合させ、施錠することにより、アルミ格子枠３は中央部に寄せた状態で固定される。
【００２２】
一方、固定窓２の内側のレールに取り付けた可動窓１は、中央部に寄せてアルミ格子枠（又は格子機能付網戸）３に重ね、可動窓１の縦框に設けた鍵付きクレセント５を、固定窓２の縦框に設けたタイト材に係合させ、施錠することにより可動窓１は中央部に寄せられた状態で固定される。
この状態での開口部は、可動窓１と固定窓２により閉鎖されるので、中央部に寄せた２枚のアルミ格子枠（又は格子機能付網戸）３による自然換気は行われない。
【００２３】
このように、精神病院、老人病院等の建物の開口部に固定した固定窓２、レール上をスライドするアルミ格子枠３及び可動窓１と、固定窓２、アルミ格子枠３及び可動窓１の縦框に設けた鍵付きクレセント、及び／又はタイト材のロック機構により、固定窓１とアルミ格子枠（又は格子機能付網戸）３、又は、可動窓１と固定窓２でその開口部は閉鎖されるので、患者は室内から外に出ることができない。  
【００２４】
上記したように、患者は、この開口部を利用して室内側から室外へ出ることができないが、メンテナンス、或いは荷物の搬出等で開口部を開放しなければならない場合には、可動窓１、固定窓２及びアルミ格子枠（又は格子機能付網戸）３の縦框に設けた鍵付きクレセント、及び／又はタイト材からなるロック機構を解錠することで、可動窓１及びアルミ格子枠（又は格子機能付網戸）３を固定窓側にスライドさせ、固定窓２を挟むようにして重ねることにより、開口部の中央部が開放される。
【００２５】
上記実施例では、開口部の両側に固定窓２を固定し、固定窓２の室外側及び室内側に、固定窓２を挟むようにして可動窓１及びアルミ格子枠（又は格子機能付網戸）３を取り付けた内動サッシュ機構について説明したが、上記した実施例と同じくアルミ格子枠（又は格子機能付網戸）３は室外側に取り付け、その室内側に、アルミ格子枠（又は格子機能付網戸）３と固定窓２で挟むようにして可動窓１を取り付けた外動サッシュ機構で室内の換気を行ってもよい。
また、開口枠に、アルミ格子枠及び可動窓をスライドさせるレールを設置したが、通常の網戸レールを設置してアルミ格子枠を取り付けても良い。
【図面の簡単な説明】
【００２６】
【図１】壁面の開口部に可動窓、固定窓及びアルミ格子枠（格子機能付網戸）を取り付け、可動窓を開いた状態を室外側から見た正面図である。
【図２】壁面の開口部に可動窓、固定窓及びアルミ格子枠（格子機能付網戸）を取り付け、可動窓を中央部へ寄せた状態を室内側から見た正面図である。
【図３】壁面の開口部に可動窓、固定窓及びアルミ格子枠（格子機能付網戸）を取り付け、可動窓を開いた状態を上から見た平面図である。
【図４】壁面の開口部に可動窓、固定窓及びアルミ格子枠（格子機能付網戸）を取り付け、可動窓を中央部へ寄せた状態を上から見た平面図である。
【符号の説明】
【００２７】
１．  可動窓
２．  固定窓
３．  アルミ格子枠（格子機能付網戸）
３１．フレーム
３２．アルミルーバー
３３．ステンレスネット
４．  開口枠
４１．縦枠
４２．上枠
４３．下枠
【図１】
2005171513.tif 000003
【図２】
2005171513.tif 000004
【図３】
2005171513.tif 000005
【図４】
2005171513.tif 000006